(57)【要約】【課題】電子楽器に備えられかつ電子楽器本体を支持する脚部が電子楽器本体を保護する保護蓋を兼ねた電子楽器を提供すること。【解決手段】電子楽器本体１０を支持する支持部材としても機能し、電子楽器本体１０の保護が必要な部分を保護する閉蓋部材としても機能すると共に、電子楽器本体１０の左右端近傍又は、前後端近傍を下方から支持可能な位置である支持位置と電子楽器1の保護が必要な部分を閉蓋可能な位置である閉蓋位置との間を移動可能に構成されている可動部材１３を電子楽器１に備える。したがって、電子楽器1の使用時に必要な空間と電子楽器1の収納時に必要な空間を削減できる。【選択図】  図１
2006178227.tif 000002
【特許請求の範囲】
【請求項１】
電子楽器本体と、
前記電子楽器本体の左右端近傍又は前後端近傍に連結された一対の可動部材とを備え、
前記一対の可動部材は、
前記電子楽器本体の左右端近傍又は前後端近傍の下から前記電子楽器本体を演奏に適した位置に支持可能とする一対の支持部材としても機能し、前記電子楽器本体の上面の保護が必要な部分を閉蓋可能とする一対の閉蓋部材としても機能すると共に、
前記電子楽器本体の左右端近傍又は前後端近傍を下方から支持可能な位置である支持位置と前記電子楽器本体の保護が必要な部分を閉蓋可能な位置である閉蓋位置との間を移動可能に構成されていること
を特徴とする電子楽器。
【請求項２】
請求項１に記載の電子楽器において、
前記電子楽器本体に可動領域を与え、かつ電子楽器本体を支持する支持部を備え、
前記支持部は、前記電子楽器本体の上下面を反転可能に前記電子楽器本体を支持すること
を特徴とする電子楽器。
【請求項３】
請求項１又は２に記載の電子楽器において、
前記一対の可動部材は、前記電子楽器本体の下面に当接可能な位置に移動可能に構成されていること
を特徴とする電子楽器。
【発明の詳細な説明】
【技術分野】
【０００１】
電子楽器に関する。
【背景技術】
【０００２】
電子楽器の一例として、電子ピアノが挙げられる。電子ピアノを演奏するためには、適切な演奏姿勢が必要である。適切な演奏姿勢を確保するためには、電子ピアノを演奏する時に必要な所定の高さがあればよく、その所定の高さを確保するためには、一対の脚部を用いることが有効であり、未使用時には、一対の脚部をコンパクトに収納できる構造が必要である。
【０００３】
例えば特許文献１には、一対の脚部使用時には、一対の脚部が鍵盤楽器本体から例えば回転式に引出され鍵盤楽器外枠両端部の下側に立て、前記一対の脚部を未使用時には、鍵盤楽器本体の底部内に一対の脚部が収納される鍵盤楽器底部構造を備えた鍵盤楽器が開示されている。
【特許文献１】実開平６―１６９９０号公報（第２頁、図１）
【発明の開示】
【発明が解決しようとする課題】
【０００４】
ところで、例えば、鍵盤部分などの電子楽器の保護が必要な部分を保護するために、保護蓋を使用することはたいへん有効である。
しかし、特許文献１における鍵盤楽器では、鍵盤楽器の保護が必要な部分を保護するために、保護蓋を鍵盤楽器本体にとりつけるとしても、その保護蓋を別に用意しなければならない。さらに、保護蓋を別に用意したとしても、鍵盤楽器使用時には保護蓋を置く場所が別途必要である。
【０００５】
したがって、本発明者は、電子楽器未使用時における一対の脚部を、保護蓋として活用できる構造が必要であると考えた。
そこで本発明は、脚部が電子楽器本体を保護する保護蓋を兼ねた電子楽器の提供を目的とする。
【課題を解決するための手段】
【０００６】
上記目的を達成するためになされた本発明の電子楽器（１：この欄においては、発明への理解の容易化のため、必要に応じて実施の形態中で用いた符号を付すが、この符号によって請求の範囲を限定することを意味するものではない。）は、電子楽器本体（１０）と、電子楽器本体（１０）の左右端近傍又は前後端近傍に連結された一対の可動部材（１３）とを備えている。そして一対の可動部材（１３）は、前記電子楽器本体（１０）の左右端近傍又は前後端近傍の下から前記電子楽器本体（１０）を演奏に適した位置に支持可能とする一対の支持部材（１３）としても機能し、前記電子楽器本体（１）の保護が必要な部分を閉蓋可能とする一対の閉蓋部材（１３）としても機能する。さらにこの一対の可動部材（１３）は、前記電子楽器本体（１）の左右端近傍又は前後端近傍を下方から支持可能な位置である支持位置と前記電子楽器本体（１）の保護が必要な部分を閉蓋可能な位置である閉蓋位置との間を移動可能に構成されている。
【０００７】
この構成を備えた電子楽器（１）によれば、可動部材（１３）を図１（ａ）に例示する位置に移動させれば、電子楽器本体（１０）を演奏の適した位置に支持する一対の支持部材（１３）として機能し、可動部材（１３）を図１（ｂ）に例示する位置に移動させれば、電子楽器本体（１０）の上面の保護が必要な部分を閉蓋する一対の閉蓋部材（１３）として機能する。よって、一対の閉蓋部材（１３）と一対の支持部材（１３）とを別々に設ける必要はなく、可動部材（１３）が両方の役割を果たすことができる。
【０００８】
したがって、電子楽器（１）使用時に必要な空間と電子楽器（１）収納時に必要な空間を削減できる。
また請求項２に記載の電子楽器（１）は、さらに支持部（１２）を備えている。この支持部（１２）は前記電子楽器本体（１０）に可動領域を与え、かつ電子楽器本体（１０）を支持するものである。そしてこの支持部（１２）は、前記電子楽器本体（１０）の上下面を反転可能に前記電子楽器本体（１０）を支持する。
【０００９】
このような支持部（１２）が電子楽器本体（１０）の上下面を反転可能に電子楽器本体（１０）を支持するという構成により、以下のような作用効果が発揮される。
電子楽器の動作を図１（ａ）、図２〜図４を用いて、説明する。
【００１０】
図１（ａ）は、一対の可動部材（１３）が、一対の支持部材（１３）となっている状態を示している。また図４は、一対の可動部材（１３）が、一対の閉蓋部材（１３）となっている状態を示している。可動部材（１３）が、図１（ａ）に示す一対の支持部材として機能する状態から図４に示す一対の閉蓋部材として機能する状態に変化する場合には、次のような動作となる。
【００１１】
まず、図１（ａ）に示す電子楽器本体（１０）を、図２（ａ）、図２（ｂ)を経て、上下反転させる（図３（ａ）参照）。次に、前記可動部材（１３）を、図３（ｂ）を経て、上下反転した電子楽器本体（１０）を支持可能な位置に移動させる（図４参照）。
【００１２】
よって、電子楽器本体（１０）を支持可能な位置と、電子楽器本体（１０）の保護が必要な部分を閉蓋可能な位置との間の移動途中において、前記可動部材（１３）を電子楽器本体の全長以上に広げる必要はなく、必要な空間を低減できる。
【００１３】
ところで、可動部材（１３）を閉蓋部材（１３）として機能させる上では、衝撃や、湿気、塵埃から限りなく守るために、図１（ａ）に示す保護枠（１４）のように電子楽器本体（１０）の側面方向からも、電子楽器本体（１０）の保護が必要な部分を保護できる形状が好ましい。
【００１４】
可動部材（１３）を、このような形状とした場合には、請求項２に記載の構成がより有効となる。なぜなら図１（ａ）に示す保護枠（１４）は、電子楽器本体（１０）の使用時には、電子楽器本体（１０）の内側へ向かい、外側へ向かないため、以下のような利点があるからである。
【００１５】
その利点とは、電子楽器本体（１０）の使用時に、演奏者や演奏者以外の人間が、電子楽器（１）のそばを通過する際、誤って足や手などをぶつけることがない点である。また例えば、ケーブルの端子や運搬車の車輪などが引っ掛かり、そのはずみで電子楽器ごと倒れてしまい、電子楽器本体（１０）が故障するといった不都合を回避できる点である。
【００１６】
ところで、可動部材（１３）の長さが固定している場合には、可動部材（１３）が前記支持部材として機能しているとき、支持部材（１３）で支持する電子楽器本体（１０）の高さが固定されてしまう。そのため、演奏時の電子楽器本体（１０）の高さに融通が利かないという問題が生じる。
【００１７】
そこで請求項３に記載のように、電子楽器（１）における可動部材（１３）を、前記電子楽器本体（１０）の下面に当接可能な位置に移動可能に構成することが考えられる。
この場合、可動部材（１３）を電子楽器本体（１０）を支持可能な位置（図１（ａ）参照）から図５（ａ）を経て、電子楽器本体の下面に当接可能な位置（図５(ｂ)参照）に移動させれば、可動部材（１３）の支持部材としての機能をなくすことができる。
【００１８】
したがって、演奏者の都合により任意の高さのテーブル等の上において演奏可能である。また子供から大人まで前記電子楽器（１）の使用者の範囲が広がる。また前記電子楽器（１）の演奏者の希望する姿勢で演奏が可能である。
【発明を実施するための最良の形態】
【００１９】
以下、本発明が適用された実施形態について電子楽器の一例として電子ピアノを挙げ、図面を用いて説明する。なお、本発明の実施の形態は、下記の実施形態に何ら限定されることなく、本発明の技術的範囲に属する限り種々の形態を採りうる。
【００２０】
図１〜図５および図９は、状態は個別に異なるものの、本実施形態の電子ピアノ全体（以下電子ピアノ１)の斜視図である。また図６〜８は、電子ピアノ１のうち、電子ピアノ本体１０を協働して回転可能に支持する回転支持部材１１と連結支持部材１２を示した平面図である。
【００２１】
なお、この電子ピアノ１において、演奏者が演奏する側（図１（ａ）では手前側）を「前側」とし、演奏者が演奏する側の反対側（図１（ａ）では向こう側）を「後側」とする。また、この電子ピアノ１において、鍵盤部１０ａを備えている側を「上面」と定義し、その反対側を「下面」と定義する（図１（ａ）参照）。
【００２２】
次に本実施形態の電子ピアノ１の主要な構成部材について説明する。
図１（ａ）に示すように、本実施形態の電子ピアノ１は、電子ピアノ本体１０と、その電子ピアノ本体１０の両脇に設けられた２つの回転支持部材１１および連結支持部材１２、２つの可動部材１３、４つの保護部材１４を備えている。
【００２３】
電子ピアノ本体１０には、鍵盤部１０ａ（図１（ａ)のみ図示、他図では省略。）、イコライザー、ライン入出力端子、ヘッドフォン接続用端子、各種スイッチ等が備わっている。これらを、電子ピアノ本体１０未使用時には、塵埃、衝撃、湿気から保護することは有効である。その保護対策については、後述の可動部材１３、保護部材１４についての説明に含ませることにする。
【００２４】
また実施形態では、電子ピアノ本体１０の上下面は後述する構成のとおり反転可能である。しかし後述の連結支持部材１２についての説明に含む本体支持部材２０を備えることにより、電子ピアノ本体１０を反転させる際、電子ピアノ本体１０は、本体支持部材２０にぶつかってしまい、電子ピアノ本体１０の上下面の反転がスムーズに行えない。よって解決策が必要である。その解決策については、連結支持部材１２についての説明に含ませることにする。
【００２５】
なお前述の「スムーズに」とは、「電子ピアノ本体１０の位置の固定解除を手動で行う等の固定解除作業を行わずに」ということを指す。
次に回転支持部材１１について説明する。回転支持部材１１は、電子ピアノ本体１０の上下面を反転するために回転可能に支持し、かつ電子ピアノ本体１０と連結支持部材１２とを連結するための部材である。回転支持部材１１と連結支持部材１２は協働して電子ピアノ本体１０を回転可能に支持する役割を果たす。
【００２６】
次に回転支持部材１１を、電子ピアノ本体１０および連結支持部材１２との連結状態を含めて説明する。
連結状態については、種々考えられ、例えば電子ピアノ本体１０と、連結支持部材１２とは、回転支持部材１１を介して連結されており、回転支持部材１１、電子ピアノ本体１０、および連結支持部材１２は、個々に分離できる構成でもよい。
【００２７】
この場合電子ピアノ本体１０と連結支持部材１２を連結する回転支持部材１１の形状としては、図６（ａ）に示すように、円柱１１ａの両端にその円柱１１ａよりも半径の大きな円柱１１ｂを備えた複合円柱１１ｃなどが考えられる。またこの複合円柱１１ｃの形状をした回転支持部材１１が電子ピアノ本体１０に係合可能な第１の係合溝１５と、形状１１ｃの形状をした回転支持部材１１が連結支持部材１２に係合可能な第２の係合溝１６が形成されている（図６（ｂ）参照）。形成された第１の係合溝１５と第２の係合溝１６に複合円柱１１の形状をした回転支持部材１１が係合する（図６（ｃ）参照）。
【００２８】
このとき回転支持部材１１と電子ピアノ本体１０の間および回転支持部材１１と連結支持部材１２の間に、主に演奏者が電子ピアノ本体１０の回転作業をしない限り電子ピアノ１０を定位置にとどめることができる摩擦があると望ましい。
【００２９】
また回転支持部材１１と電子ピアノ本体１０とを一体化し、電子ピアノ本体１０と、連結支持部材１２とは、回転支持部材１１を介して連結されている連結状態をもつ構成でもよい。
【００３０】
この場合電子ピアノ本体１０と連結支持部材１２を連結するときに介する回転支持部材１１の形状としては、図７（ａ）に示すように円柱１１ａの片端にその円柱１１ａよりも半径の大きな円柱１１ｂを備えた複合円柱１１ｄなどが考えられる。
【００３１】
また複合円柱１１ｄの形状をした回転支持部材１１が連結支持部材１２に係合可能な
第３の係合溝１７が連結支持部材１２に形成されている（図７（ｂ）参照）。形成された第３の係合溝１７に複合円注１１ｄの形状をした回転支持部材１１が係合する（図７（ｃ）参照）。
【００３２】
このとき回転支持部材１１と連結支持部材１２の間に、主に演奏者が電子ピアノ本体１０の回転作業をしない限り電子ピアノ１０を定位置にとどめることができる摩擦があることが望ましい。
【００３３】
また回転支持部材１１と連結支持部材１２とを一体化し、電子ピアノ本体１０とは、回転支持部材１１を介して連結されている連結状態をもつ構成でもよい。この場合電子ピアノ本体１０と連結支持部材１２を連結する回転支持部材１１の形状としては、図８（ａ）に示すように円柱１１ａの片端に円柱１１ａよりも半径の大きい円柱１１ｂを備えた複合円柱１１ｅなどが考えられる。
【００３４】
またこの複合円柱１１ｅの形状をした回転支持部材１１が電子ピアノ本体１０に係合可能な第４の係合溝１８が電子ピアノ本体１０に形成されている（図８（ｂ）参照）。形成された第４の係合溝１８に複合円柱１１ｅの形状をした回転支持部材１１が係合する（図８（ｃ）参照）。
【００３５】
このとき回転支持部材１１と電子ピアノ本体１０の間に、主に演奏者が電子ピアノ本体１０の回転作業をしない限り電子ピアノ本体１０を定位置にとどめることができる摩擦があると望ましい。
【００３６】
上記の種々考えられる連結状態により、電子ピアノ本体１０は、回転支持部材１１を基準軸として、電子ピアノ本体１０の左右端にある連結支持部材１２の間で回転することができる。
【００３７】
次に連結支持部材１２について説明する。連結支持部材１２は、本実施形態では直方体の部材であって、電子ピアノ本体１０の両脇にある。また回転支持部材１１と協働して電子ピアノ本体１０を支持する機能を果たす一対の部材である。２つの連結支持部材１２それぞれは、その長辺をもつ４つ面のうち短辺部をもつ１面の長手方向に沿って第１の手動開閉式ヒンジ１９を備え（図１（ａ）参照）、第１の手動開閉式ヒンジ１９により可動部材１３は、連結支持部材１２に回転可能に連結されている（図１（ａ）参照）。
【００３８】
前述の通り回転支持部材１１により電子ピアノ本体１０が回転しない程度の摩擦があるとしても、主に手で演奏をする際に、回転作業をしなくても電子ピアノ本体１０が動いてしまう可能性が高い。したがって、このような場合でも電子ピアノ本体１０の回転を規制し、適切な演奏位置に固定した状態を保つことができることが望ましい。そのため連結支持部材１２に、演奏時に電子ピアノ本体１０の回転を規制し、適切な演奏位置に固定した状態を保つための２つの本体支持部材２０を備えている（図１（ａ）参照）。
【００３９】
このように本体支持部材２０を連結支持部材１２に備えることにより、主に演奏時に電子ピアノ本体１０の回転を規制し演奏に適切な演奏位置に固定することができる。
しかし本体支持部材２０を備えることにより、電子ピアノ本体１０を反転させる際、電子ピアノ本体１０は、本体支持部材２０にぶつかってしまい、電子ピアノ本体１０の上下面の反転がスムーズに行えない。よって解決策が必要である。
【００４０】
この解決策として、電子ピアノ１０本体の上下面をスムーズに反転させるために、電子ピアノ本体１０の後側もしくは前側の側面のどちらか一方の左右端に、本体支持部材２０を通過させる２つの通過溝２４が形成されている（図１（ａ）参照）。
【００４１】
このように、本体支持部材２０を通過させる通過溝２４と、前述のとおり、保護部材１４に第２の収納溝２３が形成されており、保護部材１４を、収納位置に移動させれば、電子ピアノ本体１０を回転させる際、本体支持部材２０と保護部材１４に電子ピアノ本体１０がぶつかることなく上下反転させることができる。なお電子ピアノ本体１０の上下面を反転する理由については後述する。
【００４２】
以上、本実施形態の回転支持部材１１について、電子ピアノ本体１０と連結支持部材１２を含めた構成および動作について説明した。ここで、本実施形態の電子ピアノ本体１０、回転支持部材１１、連結支持部材１２それぞれの部材の、特許請求の範囲に記載した部材との対応については次の通りである。即ち、電子ピアノ本体１０は、特許請求の範囲における「電子楽器本体」に相当し、回転支持部材１１と連結支持部材１２を併せた構成は、特許請求の範囲における「支持部」に相当する。
【００４３】
次に可動部材１３について説明する。可動部材１３は、本実施形態では一対の板状の部材であって、電子ピアノ本体１０の左右端近傍にあり連結支持部材１２に回転可能に連結されている。
【００４４】
また可動部材１３それぞれの長手方向はお互いに同じ長さで、電子ピアノ本体１０の全長の１／２の長さとすれば、電子ピアノ本体１０を演奏に適した位置に支持する機能となる場合、電子ピアノ本体１０の設置面と電子ピアノ本体１０の全長方向とは平行を保つことができる（図１（ａ）参照）。また電子ピアノ本体１０の保護が必要な部分、例えば、スピーカーや音声出力端子、ライン入出力端子、鍵盤部、各種スイッチやイコライザーを上面方向から保護できる機能となる場合、電子ピアノ本体１０の保護が必要な部分を上面方向から完全に保護できる（図１（ｂ）参照）。
【００４５】
また前述の通り、電子ピアノ本体１０は、回転支持部材１１を基準軸として、電子ピアノ本体１０の左右端にある連結支持部材１２の間で回転することができる。
したがって、可動部材１３は、図１（ａ）に示すように電子ピアノ本体１０を支持可能な位置（以下支持位置）と、図１（ｂ）に示すように電子ピアノ本体１０を上面方向から保護が必要な部分を閉蓋可能な位置（以下閉蓋位置）との間を移動可能である。
【００４６】
次に保護部材１４について説明する。保護部材１４は、本実施形態では板状の部材であって、可動部材１３に備えられ、可動部材１３に回転可能に連結されている。可動部材１３が電子ピアノ本体１０の保護が必要な部分を上面方向から保護する機能となるとき、保護部材１４は、電子ピアノ本体１０の保護が必要な部分を側面方向から保護する機能を果たす。
【００４７】
また４つの保護部材１４それぞれはその長辺部をもつ４つの面のうち短辺部をもつ１つの面の長手方向に沿って第２の手動開閉式ヒンジ２１を備え、可動部材１３に回転可能に連結されている（図９（ａ）参照）。
【００４８】
なお可動部材１３の側面の片方には、保護部材１４を収めるための４つの第１の収納溝２２が形成されている（図９（ａ）参照）。
また保護部材１４に、本体支持部材２０を収納するための２つの第２の収納溝２３が形成されている（図９（ａ）参照）。
【００４９】
このように、第１の収納溝２２に保護部材１４が収納されると同時に第２の収納溝２３に本体支持部材２０が収納される。また保護部材１４は可動部材１３に回転可能に連結されていることにより、図９（ｂ）に示すように保護部材１４は可動部材１３に折りたたまれ、収納される。またその収納された位置（以下収納位置）から保護部材１４を移動させることによって図９（ａ）に示すように電子ピアノ本体１０の保護が必要な部分の側面方向の保護が可能な位置（以下保護位置）へ移動させることができる。したがって可動部材１３は収納位置と保護位置との間を移動可能である。
【００５０】
さらに電子ピアノ本体１０の保護が必要な部分を側面方向から完全に保護する機能となるために保護部材１４それぞれの長手方向はお互いに同じ長さであるばかりでなく、それぞれ、電子ピアノ１の全長の１／２の長さとする。
【００５１】
また保護部材１４が側面方向から保護が必要な部分を限りなく完全に保護する機能を果たすためには、保護部材１４が保護がさほど必要ではない電子ピアノ本体１０の部分と密接していなくてはならない。したがって解決策が必要である。
【００５２】
この解決策として求められる電子ピアノ本体１０の形状の一つの要素として、電子ピアノ本体１０の外周面のうち、前側と後側に、周方向に沿った２つの当接面２５を設ける（図１（ａ）参照）。
【００５３】
このように、保護部材１４の長手方向はお互いに同じ長さで、電子ピアノ本体１０の全長の１／２の長さとし、保護部材１４を保護位置に移動させ、保護部材１４が当接面２５に当接されれば、図１（ｂ）に示すように電子ピアノ本体１０の保護が必要な部分を側面方向から完全に保護できる。
【００５４】
ところで、可動部材１３が図１（ａ）に示す支持位置から図５（ａ）に示す可動部材１３が当接する途中を経て、図５（ｂ）に示すように電子ピアノ本体１０の下面に当接するときは、保護部材１４を収納位置に移動させ、本体支持部材２０は第２の収納溝２３に収納されるので、可動部材１３を電子ピアノ本体１０の下面に完全に当接することができる。
【００５５】
以上、本実施形態の可動部材１３と保護部材１４の構成および動作について説明したが、本実施形態の可動部材１３と保護部材１４の構成と特許請求の範囲に記載した構成との対応は次の通りである。即ち、可動部材１３は、特許請求の範囲における「可動部材」に相当する。また保護部材１４は、特許請求の範囲における「保護枠」に相当する。
【００５６】
次に、前述のとおり、電子ピアノ本体１０を時計回りまたは反時計回りのどちらか一方へ回転させることを記述してきたが、電子ピアノ本体１０を時計回りもしくは反時計回りのどちらか一方の方向へ回転させる理由について、可動部材１３のそれぞれが閉蓋位置にある状態から支持位置にある状態までの動きと、その動きに伴う効果とを併せて説明する。
【００５７】
可動部材１３が閉蓋位置、かつ保護部材１４が保護位置にある状態（図４参照）から、可動部材１３が支持位置にある状態（図１（ａ）参照）へ変化させるとき、電子ピアノ本体１０を安定して支持する理想的な動作としては一般的に２通り考えられる。
【００５８】
一つ目は、可動部材１３を１／４回転させて支持位置にある状態へ移動させる動作である。もう一つ目は、可動部材１３を１／２回転させて支持位置にある状態へ移動させる動作である。
【００５９】
まず可動部材１３を図４に示す閉蓋位置から、図３（ｂ）に示す可動部材１３が閉蓋位置から支持位置への移動途中を経て、図３（ａ）に示すように１／４回転させて支持位置にある状態へ移動させることを考える。可動部材１３を１／４回転させて支持位置にある状態へ移動させると、あとは図３（ａ）に示す電子ピアノ本体１０を図２（ｂ）、図２（ａ）に示すように電子ピアノ本体１０の上下面反転させる途中を経て、図１（ａ）に示すように演奏が可能な状態となる。
【００６０】
次に可動部材１３を１／２回転させて支持位置にある状態へ移動させることを考える。可動部材１３を１／２回転させて支持位置にある状態へ移動させれば、電子ピアノ本体１０を上下面反転する必要はない。しかし可動部材１３のそれぞれを１／２回転させねばならず、支持位置と閉蓋位置との間の移動途中において、可動部材１３を電子ピアノ本体１０の全長以上に広げる必要がある。したがって、電子ピアノ本体１０を上下面反転させる機能を設け、あとは可動部材１３を支持位置にある状態へ移動させるために、可動部材１３を１／４回転だけさせれば良い。したがって可動部材１３を電子ピアノ本体１０の全長以上に広げる必要性をなくすことができる。よって、電子ピアノ１使用時に必要な空間と電子ピアノ１収納時に必要な空間を削減できる効果があり、例えば住宅事情により演奏スペースに限りがある者にとって電子ピアノ本体１０に回転機能があると都合がよい。
【００６１】
また可動部材１３が閉蓋位置に、かつ保護部材１４が保護位置にある状態から、可動部材１３のそれぞれを１／２回転させ支持位置にある状態へ移動させると、主に演奏時に保護部材１４は電子楽器本体１０の外側へ向いてしまう。しかし、可動部材１３のそれぞれを１／４回転させ可動部材１３を支持位置にある状態へ移動させたときは、主に演奏時に保護部材１４は電子ピアノ本体１０の外側へ向かずに、図１（ａ）に示すように内側へ向かうことができるため、次のような利点がある。
【００６２】
その利点とは、電子ピアノ本体１０の使用時に、演奏者や演奏者以外の人間が、電子ピアノ１を通過する際、可動部材１３に誤って足や手などをぶつけることがない点である。また例えば、ケーブルの端子や運搬車の車輪などが引っ掛かり、そのはずみで電子ピアノ１ごと倒れてしまい、電子ピアノ本体１０が故障するといった不都合を回避できる点である。
［効果］
本実施形態の電子ピアノ１によれば、以下のような効果を奏する。即ち、保護部材１４を備えた可動部材１３が電子ピアノ本体１０の保護が必要な部分を保護する機能と、電子ピアノ本体１０を演奏に適した位置に支持する機能とを有するので、一対の閉蓋部材と一対の支持部材とを別々に設ける必要はなく、保護部材１４を備えた可動部材１３が両方の役割を果たすことができる。したがって、電子ピアノ１の使用時に必要な空間と電子ピアノ１の収納時に必要な空間を削減できる。
【００６３】
また電子ピアノ本体１０を上下反転させる機能をもつことにより、可動部材１３を一対の閉蓋部材としての機能から一対の支持部材としての機能へ変化させる途中で、また可動部材１３を一対の支持部材としての機能から一対の閉蓋部材としての機能へ変化させる途中で、可動部材１３を電子ピアノ本体１０の全長以上に広げる必要性をなくすことが可能である。
【００６４】
また可動部材１３を一対の支持部材として機能させるとき保護部材１４は外側へ向かわずに、内側へ向くため、演奏者や演奏者以外の人間が、電子ピアノ１を通過する際、可動部材１３に誤って足や手などをぶつけることを防ぐことが可能である。また例えば、ケーブルの端子や運搬車の車輪などが引っ掛かり、そのはずみで電子ピアノ１ごと倒れてしまい、電子ピアノ本体１０が故障するといった不都合の回避が可能である。
【００６５】
また可動部材１３を支持部材としての機能と、閉蓋部材としての機能とを共になくし、電子ピアノ本体１０の下面に可動部材１３を完全に当接でき、演奏者の都合により任意の高さのテーブル等の上において演奏が可能である。また子供から大人まで電子ピアノ１の使用者の範囲が広がる。また電子ピアノ１の演奏者の希望する姿勢で演奏が可能である。
［別実施形態］
上記実施形態の可動部材１３から第２の収納溝２３をなくすと共に、電子ピアノ本体１０から通過溝２４をなくし、本体支持部材２０のかわりにラッチボルト（ドアの空錠に用いられ、先端が三角形のボルト）としてもよい。
【００６６】
このように構成した別実施形態により上記実施形態で得られる次の３点が同様に変わらず得られる。
その３点とは、（１）電子ピアノ本体１０を上下反転させる際、電子ピアノ本体１０の前側または後側は、本体支持部材２０を通過させることができるので、電子ピアノ本体１０の上面と下面との反転がスムーズに行える点と、（２）電子ピアノ本体１０を前側から後側へ反時計方向に回転せず、電子ピアノ本体１０の前側を固定できるため安定した姿勢で演奏が可能である点と、（３）電子ピアノ本体１０の下面に可動部材１３を完全に当接することができ可動部材１３の支持部材および閉蓋部材としての機能をなくすことができる点である。
【図面の簡単な説明】
【００６７】
【図１】（ａ）は可動部材が電子ピアノ本体の左右端近傍の下から電子ピアノ本体を演奏に適した位置に支持可能とする一対の支持部材として機能している状態を示した斜視図であり、（ｂ）は可動部材が電子ピアノ本体の保護が必要な部分を閉蓋可能とする一対の閉蓋部材として機能している状態を示す斜視図である。
【図２】（ａ）は電子ピアノ本体の上下面を反転している途中の状態を示す斜視図であり、（ｂ）は同じく電子ピアノ本体の上下面を反転している途中の状態を示す斜視図である。
【図３】（ａ）は電子ピアノ本体の上下面を反転完了した状態を示す斜視図であり、（ｂ）は可動部材が電子ピアノ本体の上面の保護が必要な部分を閉蓋可能とする一対の閉蓋部材として機能するために可動部材を支持部材から閉蓋部材へ変化する途中の状態を示す斜視図である。
【図４】可動部材が電子ピアノ本体の上面の保護が必要な部分を閉蓋可能とする一対の閉蓋部材として機能している状態を示す斜視図である。
【図５】（ａ）は可動部材が電子ピアノ本体の下面に当接可能な位置へ移動する途中の状態を示す斜視図であり、（ｂ）は可動部材が電子ピアノ本体の下面に当接可能な位置へ移動が完了した状態を示す斜視図である。
【図６】（ａ）は回転支持部材の形状の一例を示す斜視図であり、（ｂ）は回転支持部材が電子ピアノ本体に係合可能な第１の係合溝と、回転支持部材が連結支持部材に係合可能な第２の係合溝が形成された状態を示す平面図であり、（ｃ）は形成された第１の係合溝と第２の係合溝に回転支持部材が係合した状態を示す平面図である。
【図７】（ａ）は回転支持部材の形状の一例を示す斜視図であり、（ｂ）は回転支持部材が連結支持部材に係合可能な第３の係合溝が形成された状態を示す平面図であり、（ｃ）は形成された第３の係合溝に回転支持部材が係合した状態を示す平面図である。
【図８】（ａ）は回転支持部材の形状の一例を示す斜視図であり、（ｂ）は回転支持部材が電子ピアノ本体に係合可能な第４の係合溝が形成された状態を示す平面図であり、（ｃ）は形成された第４の係合溝に回転支持部材が係合した状態を示す平面図である。
【図９】（ａ）は可動部材の側面の片方に保護部材を収めるための４つの第１の収納溝が形成されている状態と、保護部材に本体支持部材を収納するための２つの第２の収納溝が形成されている状態と、保護部材が保護位置にある状態を含む電子ピアノの斜視図であり、（ｂ）は保護部材が可動部材に折りたたまれ収納される収納位置にある状態を示す斜視図である。
【符号の説明】
【００６８】
１…電子ピアノ、１０…電子ピアノ本体、１１…回転支持部材、１２…連結支持部材、１３…可動部材、１４…保護部材、１５…第１の係合溝、１６…第２の係合溝、１７…第３の係合溝、１８…第４の係合溝、１９…第１の手動開閉式ヒンジ、２０…本体支持部材、２１…第２の手動開閉式ヒンジ、２２…第１の収納溝、２３…第２の収納溝、２４…通過溝、２５…当接面
【図１】
2006178227.tif 000003
【図２】
2006178227.tif 000004
【図３】
2006178227.tif 000005
【図４】
2006178227.tif 000006
【図５】
2006178227.tif 000007
【図６】
2006178227.tif 000008
【図７】
2006178227.tif 000009
【図８】
2006178227.tif 000010
【図９】
2006178227.tif 000011